(57)【要約】【課題】  溶湯容器の溶湯流出孔に開口するガス吹き込み細孔の閉塞を防止し、溶湯容器の繰り返し使用を可能にする。【解決課題】  溶湯容器15の溶湯流出孔12に充填した充填物11をガス導入通路17より導入したガスにより排除した後、ガス導入通路17に少量のガスを供給し続け、ガス吹き込み細孔20に溶湯等の流入凝固を防止し、ガス導入通路17の閉塞を防止するようにして溶湯を流出する。ガス吹き込み細孔の詰まりが防止されるために、出湯後再び出湯ノズル孔に充填物を詰め溶湯を満たしてもこの充填物をガス導入通路からのガスで強制的に破壊除去でき取鍋の再使用ができる。【選択図】  図1
2014237160.tif 000002
【特許請求の範囲】
【請求項１】
溶湯容器の溶湯流出孔に予め粉粒状の充填物を充填し、前記溶湯流出孔を閉じた状態で前記溶湯容器内に溶湯を貯留させ、前記溶湯流出孔を開にする直前に前記溶湯流出孔にガス導入通路のガス吹き込み細孔よりガスを供給して前記充填物を前記溶湯湯面に浮上させ、次いで前記溶湯流出孔を開にして前記溶湯容器内の前記溶湯を流出する溶湯容器内の溶湯流出方法において、
前記溶湯流出孔を開にした後や前記溶湯を流出した後も前記ガス導入通路に少量のガスを供給し続け前記ガス吹き込み細孔より前記溶湯流出孔にガスを放出して前記ガス吹き込み細孔に溶湯が凝結付着しないようにすることを特徴とする溶湯容器内の溶湯流出方法。
【請求項２】
前記溶湯流出孔は、前記溶湯容器に設けられた耐火物製の上ノズルの上ノズル孔と、前記上ノズルの下端に固定された上プレートに設けられた上プレート孔を有し、前記ガス導入通路は前記上プレートに設けられている請求項1に記載の溶湯容器内の溶湯流出方法。
【発明の詳細な説明】
【技術分野】
【０００１】
本発明は、溶融金属(以下、溶湯という)を収容する溶湯容器内の溶湯を他の容器等に流出する溶湯の流出方法に関するものである。
【背景技術】
【０００２】
金属の連続鋳造において、取鍋からタンディッシュに溶湯を流出する際に、又は、タンディッシュから鋳型に溶湯を流出する際には、取鍋又はタンディッシュの底部に取り付けられた開孔システムであるバルブを開にして溶湯をタンディッシュ又は鋳型に流出する。
【０００３】
このとき用いられる開孔システムの一つとして、スライディングノズルゲート方式と呼ばれる溶湯の流量制御を行うための開孔システムがある。この開孔システムは、溶湯容器の底部に設けられた、溶湯容器内部と連通する上ノズル孔を有する上ノズルと、次工程へとつなぐ部分としての下ノズル孔を有する下ノズルと、これらの上ノズルと下ノズルとの間に設けられる、いわゆるゲートを構成し、それぞれプレート孔を有する固定プレートである上プレート及び摺動プレートである下プレートとから構成されている。溶湯容器の溶湯流出孔は、この上ノズルの上ノズル孔、上プレートの上プレート孔、下プレートの下プレート孔及び下ノズルの下ノズル孔で形成されている。そして溶湯容器内の溶湯を出湯する際に、摺動プレートである下プレートをスライドさせ上プレートの溶湯流出孔と下プレートの溶湯流出孔を合わせることで開の状態にして出湯する。このとき、下プレートのスライド調節で溶湯流出孔の大きさを調節することで溶湯の流量制御を行うことができる。
大部分の溶湯を出湯させた後、ノロ等を含む一部の溶湯を残して、下プレートを摺動させて溶湯流出孔を閉の状態にする。その後、取鍋内に残留した前記ノロを含む溶湯を、取鍋を傾けることにより、ノロパン(「ノロ鍋」ともいう)或いはドライピット(「スラグ畠」ともいう)に排出される。これにより、溶湯に含まれるノロ等を排出する。
【０００４】
溶湯が溶湯容器内に注入され、保持されている間は、溶湯流出孔は閉の状態にある。この状態で溶湯流出孔に詰め物が無い場合には、溶湯流出孔にも溶湯が入り込む。具体的には、溶湯流出孔を区画する上ノズルと上プレートの上ノズル孔及び上プレート孔に前記溶湯が侵入し、溶湯で満たされる。溶湯流出孔は溶湯容器の壁あるいは底部に設けられているため、前記溶湯は溶湯容器で冷却され、冷却されることにより凝固し、溶湯流出孔に凝固した金属が詰り、溶湯が流出しない初期閉塞が起こる虞がある。この初期閉塞を防止する方法として、予め上ノズルの上ノズル孔と上プレートの上プレート孔に詰物(以下、充填物という)を充填し、溶湯流出孔を開にする直前に前記充填物にガスを噴射することでガスの圧力により前記充填物を上ノズル孔と上プレート孔からなる溶湯流出孔から吹き飛ばし、溶湯湯面に浮上させ、前記溶湯流出孔を開孔し溶湯を流出するという方法がある(例えば、特許文献1参照)。
【０００５】
前記ガスを噴射するため、上プレートにはその上プレート孔の内周面に複数開口するガス吹き込み細孔が設けられている。また他の方法として、溶湯流出孔が閉の状態において、下プレート摺動により上ノズルと上プレートの上ノズル孔及び上プレート孔と合致する下プレート摺動面にガス吹き込み細孔が設けられている場合もある。ガス供給源よりガスがガス導入通路に供給されることにより、上ノズルと上プレートの上ノズル孔及び上プレート孔からなる溶湯流出孔にガスが噴射され、前記ガスの圧力で充填物を前記溶湯流出孔より除去する。
充填物を使用しない方法としては、摺動盤孔をずらした閉の状態で摺動盤孔に設けたガス導入通路より少量のガスを溶湯流出孔に供給して溶湯流出孔内の溶湯を入れ変え溶湯の凝固を防止するものもある（特許文献２参照）。
出湯ノズル孔ではないポーラスプラグを持つガス吹き込み装置を備えた取鍋の溶湯凝固によるポーラスプラグの詰まりを防止する取鍋として蓄圧ボンベを持つ取鍋が知られている（特許文献３参照）。
【先行技術文献】
【特許文献】
【０００６】
【特許文献１】特開昭６３−２３８９７１号公報
【特許文献２】実開昭５４−６９１１０号公報
【特許文献３】特開２００４−２２３５７５号公報
【発明の概要】
【発明が解決しようとする課題】
【０００７】
ここで、溶湯流出が開始されると溶湯が上ノズルの上ノズル孔及び上プレートの上プレート孔を通過する。この際、上述のようにガス吹き込み細孔が上プレートの通孔の内周面に設けられている場合は、ガス吹き込み細孔に溶湯が流入してしまう虞がある。また、溶湯流出終了後も上ノズルと上プレートの上ノズル孔及び上プレート孔内に残留するノロ等を含む一部の溶湯が、ガス吹き込み細孔に流入してしまう虞もある。そして、溶湯がガス吹き込み細孔に流入し冷却凝固してしまうと、ガス導入通路に詰りが生じ、ガス供給源よりガス導入通路開口を介して充填物にガスを噴射することが不能となる。ガス吹き込み細孔が下プレートの摺動面に設けられている場合も同様である。
【０００８】
そして、ガス吹き込み細孔は細孔であるため、酸素洗浄等では流入した溶湯等を除去することは困難である。そのため、ガス吹き込み細孔を有するプレートは再利用がすることができず、溶湯容器に溶湯を注入し、保持し、流出する1チャージ毎にガス吹き込み細孔を有するプレートの交換を行わなければならなかった。
【０００９】
本発明の課題は、上記の問題点に鑑み、溶湯流出開始後から溶湯等によるガス吹き込み細孔への流入凝固を抑制し、ガス吹き込み細孔の閉塞を防止する。さらに、前記ガス吹き込み細孔の閉塞を防止することでガス吹き不能を回避し、プレートの再利用を実現する。そして、プレートの交換を行わずに溶湯容器の繰り返し使用を可能にすることにある。
【課題を解決するための手段】
【００１０】
上記課題を解決するための本発明の溶湯容器内の溶湯流出方法は、溶湯容器の溶湯流出孔に予め粉粒状の充填物を充填し、前記溶湯流出孔を閉じた状態で前記溶湯容器内に溶湯を貯留させ、前記溶湯流出孔を開にする直前に前記溶湯流出孔にガス導入通路のガス吹き込み細孔よりガスを供給して前記充填物を前記溶湯湯面に浮上させ、次いで前記溶湯流出孔を開にして前記溶湯容器内の前記溶湯を流出する溶湯容器内の溶湯流出方法において、前記溶湯流出孔を開にした後や前記溶湯を流出した後も前記ガス導入通路に少量のガスを供給し続け前記ガス吹き込み細孔よりガスを放出して前記ガス吹き込み細孔に溶湯が凝結付着しないようにすることを特徴とする。
【００１１】
溶湯容器とは溶湯を収容する容器のことであり、取鍋やタンディッシュ等をいう。溶湯流出孔とは、溶湯容器の底部等に設けられる通孔を意味し、通常、溶湯が次工程の溶湯容器に流出されるときに通過する上ノズル、上プレート、下プレート、下ノズルの通過孔のことを意味する。充填物には、ガス吹きにより除去された後溶湯の湯面に浮上することが望まれるため、溶湯より比重の小さい砂等が好ましい。また、溶湯汚染の原因にならないためにも溶湯に溶解しない物質が好ましい。ガス吹き込み細孔は、溶湯流出孔の内周面に開口する細孔であり、上プレートに設けられるのが好ましい。しかし、下プレートの摺動面等の他の部分に設けることもできる。
【００１２】
本発明では、溶湯流出孔を開の状態にして溶湯を溶湯流出孔より流出させる間や、溶湯容器から溶湯が流出した後にもガス導入通路に少量のガスを供給し続け前記ガス吹き込み細孔からガスを放出し、放出されるガスの圧力で前記ガス吹き込み細孔に溶湯が流入し冷却凝固することを抑制し、前記ガス吹き込み細孔及び前記ガス導入通路の閉塞を防止する。
【００１３】
ここで、前記上ノズルは耐火物製であることが好ましく、また前記上ノズルの下端に上プレートが固定されており、前記上プレートの通孔の内周面に開口した前記ガス導入通路が設けられ、前記上プレートの通孔を介して前記上ノズルのノズル孔にガスが供給されることが好ましい。
【発明の効果】
【００１４】
溶湯流出孔が開の状態により溶湯が流出開始された後も、この溶湯流出孔にガス導入通路のガス吹き込み細孔からガスが供給し続けられるため、前記ガスの圧力により前記ガス吹き込み細孔に溶湯が流入することを抑制することができる。その結果、ガス導入通路にガスが供給されないためにガス導入通路に溶湯が流入することで起きていた溶湯の冷却凝固付着による、前記ガス導入通路の閉塞を防止することが出来る。
【００１５】
またこれにより、前記ガス吹き込み細孔が閉塞せずに開口しているため、再び溶湯流出孔を閉にすると共に溶湯流出孔に砂等を詰め、新たな溶湯を注ぎ入れて次のチャージが可能となる。その結果、以前には1チャージ毎にガス導入通路を区画するプレート等の部品を交換しなければならなかったが、本発明の方法によりガス導入通路の閉塞を防止することができることで、プレート等の再利用が可能となり、溶湯容器の大きな補修をすることなく再び溶湯容器を使用でき、経済的にも優れることとなる。
【図面の簡単な説明】
【００１６】
【図１】実施形態１に係る溶湯の流出方法を実施するためのスライディングノズルゲート装置の要部を示す模式図である。
【図２】実施形態２に係る取鍋の側方視図である。
【図３】実施形態２に係る取鍋の配管構造の説明図である。
【図４】実施形態３に係る溶湯の流出方法を実施するための装置を示す概念図である。
【発明を実施するための形態】
【００１７】
以下、本発明を実施するための形態を図面とともに説明する。なお、本実施例はこれらに限定されるものではない。
【００１８】
（実施形態1）
実施形態１に係る溶湯の流出方法を図１に示す模式図により説明する。図中、取鍋１５は溶湯容器であり、溶湯を収容できるよう上部が開放されたほぼバケツ状である。取鍋１５の基本構造は任意であるが、例えば、強度を確保するため金属などから構成された外郭と、その内部に画成された耐熱材料からなる溶湯収容部のような2重構造とからなる。また、取鍋１５は溶湯を収容し、プラント内で運搬するための容器として構成されている。
【００１９】
取鍋１５内には一次精錬で溶融された金属である、例えば、鉄、アルミニウム等の溶湯１４が貯留されている。取鍋１５の底部には前記溶湯１4を流出するための溶湯流出孔１２が形成されている。そして、溶湯１４を取鍋１５で精錬された後(二次精錬・取鍋精錬という)、溶湯流出孔12から図示しないタンディッシュに溶湯１４が流出される。
【００２０】
溶湯流出孔１２は上ノズル１３の上ノズル孔１２１と上プレート２２の上プレート孔１２２で区画されている。上ノズル１３は耐火物製であり、上プレート２２に嵌合されている。そして、上プレート２２の下にスライディングノズル２３が取り付けられている。
【００２１】
スライディングノズル２３は、上プレート２２の下に設けられた摺動プレートである下プレート２１と、下プレート２１に嵌合されている下ノズル１９を備える。そして、前記スライディングノズル２３に設けられる溶湯流出孔１８は前記下プレート２１の下プレート孔１８２と前記下ノズル１９の下ノズル孔１８１で区画されている。
【００２２】
この下プレート２１を左右にスライドさせ、溶湯流出孔１２と溶湯流出孔１８とを連通させることで溶湯１４を流出することができ、また、下プレートのスライド調節により連通する溶湯流出孔の大きさを調節し、溶湯の流量抑制を行うことができる。溶湯を流出しない状態においては、下プレート２１は溶湯流出孔１２と溶湯流出孔１８とを連通させず閉塞する。
【００２３】
下プレート２１の下端には下ノズル１９が取り付けられており、取鍋１５内の溶湯１４がこの下ノズル１９を介してタンディッシュ内に流出される。下ノズル１９は流出される溶湯１４が大気による酸化汚染されないために、タンディッシュ内に流出した溶湯１４に浸漬されるロングノズルであることが好ましい。
【００２４】
上ノズル１３の上ノズル孔１２１と上プレート２２の上プレート孔１２２で区画される溶湯流出孔１２内には、取鍋１５に溶湯１４を貯留させる前に予め充填物１１が充填されており、上ノズル１３の上ノズル孔１２１と上プレート２２の上プレート孔１２２に溶湯１４が流入することを防止し、溶湯１４の冷却凝固による溶湯流出孔１２の初期閉塞を防止する。
【００２５】
上プレート２２にはガス導入通路１７が備えられており、このガス導入通路１７に図示しないガス供給手段からガスが供給される。そして、前記ガスは上プレート２２の上プレート孔１２２の内周面に複数開口しているガス吹き込み細孔２０から噴射され、上ノズル１３の上ノズル孔１２１と上プレート２２の上プレート孔１２２で区画される溶湯流出孔１２内に予め充填していた充填物１１を前記ガスの圧力で除去する。
【００２６】
実施形態1の方法について説明する。
スライディングノズル２３の下プレート２１によって溶湯流出孔１２を閉塞させ、上ノズル１３の上ノズル孔１２１と上プレート２２の上プレート孔１２２とで区画される溶湯流出孔１２内に充填物１１を充填させておき、取鍋１５内に溶湯１４を貯留させる。
【００２７】
溶湯１４をタンディッシュに流出する直前に、ガス供給手段からガス導入通路１７を介して上プレート２２の上プレート孔１２２の内周面に複数開口するガス吹き込み細孔２０より溶湯流出孔１２内にガスを噴射する。前記ガスは、溶湯１４に悪影響を及ぼさせないため、アルゴンガスや窒素ガスのような不活性ガスを用いることが好ましい。
【００２８】
上述により、充填物１１はガスの浮上効果により溶湯１４の湯面に浮上する。充填物１１は、例えば、砂等の溶湯１４に融解されにくく、溶湯１４よりも比重の小さい物質を使用することが好ましい。この結果、溶湯１４より比重の小さい充填物１１が溶湯の湯面に浮上する。
【００２９】
このようにして、充填物１１を上ノズル１３の上ノズル孔１２１と上プレート２２の上プレート孔１２２で区画される溶湯流出孔１２内から除去した直後に、下プレート２１をスライドさせ、溶湯流出孔１２と溶湯流出孔１８とを連通させ、溶湯１４を次工程に流出させる。実施形態1では、充填物１１を除去するためのガス吹き細孔２０を上プレート２２の上プレート孔１２２に設けているが、上ノズル１３の上ノズル孔１２１の内周面に設けることも望ましい。
【００３０】
ここで、充填物１１を除去するのに使用した、ガス導入通路１７を介してガス吹き込み細孔２０より溶湯流出孔１２内に供給されたガスを、さらに溶湯流出孔１２と溶湯流出孔１８とを連通し、溶湯１４の流出開始状態後も供給し続ける。
【００３１】
大部分の溶湯１４を出湯させた後、ノロ等を含む一部の溶湯１４を残して、下プレート２１を摺動させて溶湯流出孔１２を閉の状態にする。その後、取鍋内に残留した前記ノロを含む溶湯を、取鍋１５を傾けることにより、ノロパン(「ノロ鍋」ともいう)或いはドライピット(「スラグ畠」ともいう)に排出される。これにより、溶湯に含まれるノロ等を排出する。そして、取鍋内に残留したノロ等を含む溶湯を排出するこの工程においても、ガス吹き込み細孔２０より溶湯流出孔１２内に前記ガスを供給し続ける。溶湯１４を次工程に流出後の取鍋１５は、例えば、酸素洗浄するため鍋整備場に移動させられるが、この際プラント内のガス供給源から上プレート２２に備えられたガス導入通路１７が離脱される。
この時、上プレート２２に備えられたガス導入通路１７にガスを供給し続ける為に、例えば、取鍋１５に蓄圧ボンベを設け、この蓄圧ボンベからガスを供給することができる。蓄圧ボンベ以外の他のガス供給手段であっても良い。
【００３２】
（実施形態２）
図２は実施形態２に係る蓄圧ボンベを持つ取鍋の側方視図（要部断面図）である。取鍋１００は、溶湯を収容できるように上部が開放されたほぼバケツ状の取鍋本体１０を有している。取鍋本体１０の基本構造は任意であるが、たとえば、強度を確保するため金属などから構成された外殻と、その内部に画成された耐熱材料からなる溶湯収容部のような２重構造とする。
【００３３】
取鍋本体１０の底部には溶湯を取り出すためのスライディングノズル装置５を備え、取鍋本体１０の外殻には蓄圧ボンベ３と制御ユニット３０とが固定されている。取鍋本体１０の外殻と制御ユニット３０の間には、図２に示すように、断熱材６が配設されている。断熱材６は、耐熱樹脂や多孔質の焼成材など断熱効果の高い材質から構成するとよい。
【００３４】
取鍋本体１０の底部には出湯ノズル５０が装着され、出湯ノズル５０にはスライディングノズル装置５が装着されている。
スライディングノズル装置５は、固定盤孔５１ａを備える固定盤５１と、摺動盤孔５２ａを備え固定盤５１の下面に摺動可能に装着された摺動盤５２を備えている。
固定盤５１には固定盤孔５１ａの内周壁に開口するガス吹き込み細孔を有するガス導入通路５３が形成されている。
【００３５】
図３は、ガス源からガスが供給される供給口３１〜スライディングノズル装置５の間の配管の構成を詳細に示している。
ガス源と接続する供給口３１からの配管は、制御ユニット３０に入る。制御ユニット３０のフィイルター３０７を経由して蓄圧ボンベ３へ向かう配管とスライディングノズル装置５へ向かう配管に分岐する。蓄圧ボンベ３を有する配管と、蓄圧ボンベ３を介さずスライディングノズル装置５に向かう配管は図示のように並列の接続関係となっている。
【００３６】
蓄圧ボンベ３に向かう配管には逆止弁３５１が、スライディングノズル装置５向かう配管には逆止弁３５２がそれぞれ配設されている。逆止弁３５１、３５２、あるいは後述の逆止弁３５３は、矢印の方向へのみガスの流通を許容するように構成されている。
【００３７】
逆止弁３５１を経た配管は、さらに、蓄圧ボンベ３へ向かう配管とスライディングノズル装置５に向かう配管に再分岐する。再分岐で蓄圧ボンベ３へ向かう配管は、蓄圧ボンベ３に連結されている。再分岐してスライディングノズル装置５へ向かう配管には、まず安全弁３０１が配置される。この安全弁３０１の下流には、さらにプラントのガス源または蓄圧ボンベ３からの供給ガス圧を測定する圧力計３０２、圧力調整弁３０３、圧力調整後の供給ガス圧を測定する圧力計３０４、スライディングノズル装置５へのガス流量を制御するニードルバルブ３０５、及び逆止弁３５３が配置されている。逆止弁３５３を経た配管は、逆止弁３５２の下流の位置においてスライディングノズル装置５に向かう配管に合流している。なお、圧力計３０２及び圧力計３０４は脱着式である。
【００３８】
次に本実施形態の方法を説明する。先ず、摺動盤孔５２ａを固定盤孔５１ａからずらして閉状態にして固定盤孔５１ａと出湯ノズル孔５０ａに充填物として耐火砂９を充填する。次に溶融金属を取鍋本体１０に受湯する。供給口３１に外部ガス源を接続し、外部ガス源のバルブを開く。すると、供給口３１に供給されたガスはガス吹き込み細孔が開口するガス導入通路５３と蓄圧ボンベ３に向かう。ガス導入通路５３に向かったガスは固定盤孔５１ａに達し、耐火砂９を出湯ノズル孔５０ａと固定盤孔５１ａから吹き飛ばして溶湯の湯面に浮上させる。一方、蓄圧ボンベ３に向かったガスは蓄圧ボンベ３に貯蔵される。耐火砂９がなくなると溶湯が出湯ノズル孔５０ａと固定盤孔５１ａ流れ込み注湯スタンバイ状態になる。
【００３９】
次に、供給口３１を外部ガス源から切り離して鋳型等に移動し摺動盤５２を摺動させて摺動盤孔５２ａと固定盤孔５１ａを連通させて開状態にして注湯する。この間も蓄圧ボンベ３からガス導入通路５３のガス吹き込み細孔にガスが供給される。
鋳型等への注湯が終了したら、摺動盤孔５２ａを固定盤孔５１ａからずらして閉状態にして取鍋本体１０を傾けて取鍋本体１０の底部に残った溶湯やノロ等を排出して一連の動作が終了する。溶湯やノロ等を排出する間も蓄圧ボンベ３からガス導入通路５３にガスが供給される。
【００４０】
上記のように、注湯中に供給口３１を外部ガス源から切り離しても、蓄圧ボンベ３からガス導入通路５３にガスが継続して供給されるので、注湯中に溶湯がガス導入通路５３のガス吹き込み細孔に流れ込むことが抑制される。
また、注湯後も残った溶湯やノロ等が排出されるまで蓄圧ボンベ３からガス導入通路５３にガスが継続して供給されるので、残余の溶湯やノロ等がガス導入通路５３に流れ込むことが抑制される。
【００４１】
(実施形態３)
実施形態３に係る溶湯の流出方法を図４に示す模式図により説明する。この実施形態においては、上プレート２２ではなく下プレート２１にガス導入通路２４が備えられており、このガス導入通路２４に図示しないガス供給手段からガスが供給される。そして、前記ガスは、溶湯流出孔１２が閉の状態での上プレート２２の上プレート孔２２０と相対する下プレート２１の摺動面に複数開口しているガス吹き込み細孔２０から噴射される。これにより、上ノズル１３の上ノズル孔１２１と上プレート２２の上プレート孔２２０で区画される溶湯流出孔１２内に予め充填していた充填物１１を前記ガスの圧力で除去する。
【００４２】
実施形態３の方法について説明する。
スライディングノズルの下プレート２１によって溶湯流出孔１２を閉塞させ、上ノズル１３の上ノズル孔１２１と上プレート２２の上プレート孔２２０とで区画される溶湯流出孔１２内に充填物１１を充填させておき、取鍋１５内に溶湯１４を貯留させる。
【００４３】
溶湯１４をタンディッシュに流出する直前に、ガス供給手段からガス導入通路２４を介して、溶湯流出孔１２が閉の状態での上プレート２２の上プレート孔１２２と相対する下プレート２１の摺動面に複数開口しているガス吹き込み細孔２０より溶湯流出孔１２内にガスを噴射する。
【００４４】
上述により、充填物１１はガスの吹き上げ効果により溶湯１４の湯面に浮上する。充填物１１は、例えば、砂等の溶湯１４に融解されにくく、溶湯１４よりも比重の小さい物質を使用することが好ましい。この結果、溶湯１４より比重の小さい充填物１１が溶湯湯面に浮上する。
【００４５】
このようにして、充填物１１を上ノズル１３の上ノズル孔と上プレート２２の上プレート孔で区画される溶湯流出孔１２内から除去した直後に、下プレート２１をスライドさせ、溶湯流出孔１２と溶湯流出孔１８とを連通させ、溶湯１４を次工程に流出させる。
【００４６】
ここで、充填物１１を除去するのに使用した、ガス導入通路２４を介してガス吹き込み細孔２０より供給されたガスを、さらに溶湯１４の流出開始状態後も供給し続ける。
【００４７】
大部分の溶湯１４を出湯させた後、ノロ等を含む一部の溶湯１４を残して、下プレート２１を摺動させて溶湯流出孔１２を閉の状態にする。その後、取鍋内に残留した前記ノロを含む溶湯１４を、取鍋１５を傾けることにより、ノロパン(「ノロ鍋」ともいう)或いはドライピット(「スラグ畠」ともいう)に排出される。これにより、溶湯１４に含まれるノロ等を排出する。そして、取鍋内に残留したノロ等を含む溶湯１４を排出するこの工程においても、ガス吹き込み細孔２０より溶湯流出孔１２内に前記ガスを供給し続ける。溶湯１４を次工程に流出後の取鍋１５は、例えば、酸素洗浄するため鍋整備場に移動させられるが、この際プラント内のガス供給源から下プレート２１に備えられたガス導入通路２４が離脱される。
【符号の説明】
【００４８】
１１・・充填物、  １２・・溶湯流出孔、  １２１・・上ノズル孔、  １２２・・上プレート孔、  １３・・上ノズル、  １４・・溶湯、  １５・・取鍋、    １６・・耐火物、  １７・・ガス導入通路、  １８・・溶湯流出孔、  １８１・・下ノズル孔、  １８２・・下プレート孔、  １９・・下ノズル、  ２０・・ガス吹き込み細孔、  ２１・・下プレート、  ２２・・上プレート、  ２３・・スライディグノズル、  ２４・・ガス供給管、  ２５・・主配管、  ２６・・制御部、  ２７・・蓄圧ボンベ、  ２８・・蓄圧ボンベ式ガス吹き込み装置、  ２９・・ガス供給源、  ３０・・開閉弁、  ３１・・逆止弁、  ３２・・安全弁
【図１】
2014237160.tif 000003
【図２】
2014237160.tif 000004
【図３】
2014237160.tif 000005
【図４】
2014237160.tif 000006